(57)【特許請求の範囲】
【請求項１】
使用者が横たわる寝具類を載置できるベッド本体と、前記ベッド本体上に横たわる使用者の足側に位置するようにベッド本体に設けられたフット側部材とをもつベッドにおいて、
前記ベッド本体上の使用者の身体に直接的にまたは間接的に有用振動を与える振動部を有する振動ユニットが前記フット側部材に設けられており、
前記ベッドの前記フット側部材は、前記ベッド本体の幅方向（Ｚ方向）に延設されたＺガイド部と、前記ベッド本体の高さ方向（Ｙ方向）に延設されたＹガイド部と、前記ベッド本体の長さ方向（Ｘ方向）に延設されたＸガイド部とをもち、
前記振動ユニットは、前記フット側部材に設けられている前記Ｚガイド部、前記Ｙガイド部および前記Ｘガイド部によって３次元的に位置調整可能に設けられていることを特徴とするベッド。
【請求項２】
請求項１において、前記寝具類はマットレスであり、前記振動ユニットは、前記ベッド本体に載置されたマットレスに横たわる使用者の足裏面に対向した位置に配置されていることを特徴とするベッド。
【請求項３】
請求項１または２において、前記寝具類はマットレスであり、前記振動ユニットは、前記ベッド本体に載置された寝具類上に配置される足枕を介して使用者にリラクゼーション効果を与える有用振動を付与することを特徴とするベッド。
【発明の詳細な説明】
【技術分野】
【０００１】
本発明は使用者の身体を休めるベッドに関する。
【背景技術】
【０００２】
使用者は、急激な社会環境の変化により、通常の社会生活においても知らず知らずのうちに多大なストレスが加わっている。近年、クオリティー・オブ・ライフ（生活の質）の向上についての関心が高まり、これらストレスを解消する手法についても種々提案されている。その中でも、ストレス解消効果の観点からは質の高い睡眠を確保することが重要であることが知られているが、質の高い睡眠を確保することは困難になっている。ここで、質の高い睡眠を実現するために音楽や振動を利用することが効果的であることが知られており、従来、使用者の頭部の左右に配置したスピーカと、使用者の足部の左右に配置した振動装置とを有する寝具類が提案されている（特許文献１）。心地よい音楽や振動を入眠時乃至は睡眠中に身体に加えることで高いリラクゼーション効果が発揮でき質の高い睡眠が得られるものと考えられる。
【特許文献１】特開２０００−８３７６６号公報
【発明の開示】
【発明が解決しようとする課題】
【０００３】
また、産業界では、リラクゼーション効果等が発揮できる有用振動をベッド上の使用者に与えることができるベッドの開発が要望されている。本発明は上記した実情に鑑みてなされたものであり、睡眠を誘導する誘眠振動やマッサージ振動等といった有用振動をベッド上の使用者の身体に効果的に与えることができるベッドを提供することにある。
【課題を解決するための手段】
【０００４】
本発明に係るベッドは、使用者が横たわる寝具類を載置できるベッド本体と、ベッド本体上に横たわる使用者の足側に位置するようにベッド本体に設けられたフット側部材とをもつベッドにおいて、
ベッド本体上の使用者の身体に直接的にまたは間接的に有用振動を与える振動部を有する振動ユニットがフット側部材に設けられており、
ベッドのフット側部材は、ベッド本体の幅方向（Ｚ方向）に延設されたＺガイド部と、ベッド本体の高さ方向（Ｙ方向）に延設されたＹガイド部と、ベッド本体の長さ方向（Ｘ方向）に延設されたＸガイド部とをもち、
振動ユニットは、フット側部材に設けられているＺガイド部、Ｙガイド部およびＸガイド部によって３次元的に位置調整可能に設けられていることを特徴とするものである。
【０００５】
本発明に係るベッドによれば、ベッド本体上の使用者の身体に直接的にまたは間接的に、振動部をもつ振動ユニットが誘眠振動やマッサージ振動等の有用振動を与えることができる。ベッドのフット側部材は、ベッド本体の幅方向（Ｚ方向）に延設されたＺガイド部と、ベッド本体の高さ方向（Ｙ方向）に延設されたＹガイド部と、ベッド本体の長さ方向（Ｘ方向）に延設されたＸガイド部とをもつ。更に振動部をもつ振動ユニットは、ベッド本体の幅方向（Ｚ方向）に延設されたＺガイド部と、ベッド本体の高さ方向（Ｙ方向）に延設されたＹガイド部と、ベッド本体の長さ方向（Ｘ方向）に延設されたＸガイド部とよって、高さ方向、長さ方向、幅方向において位置調整可能とされており、３次元的に位置調整可能に設けられている。
【０００６】
このため振動部をもつ振動ユニットの高さ位置を３次元的に調整すれば、有用振動を使用者の身体に効果的に加えたり、あるいは、有用振動を加える高さ位置を調整できる。故に、振動部をもつ振動ユニットによる誘眠振動やマッサージ振動等の有用振動をベッド本体上の使用者の身体に効果的に与えることができる。例えば、厚みが異なるマットレス等の寝具類を用いる場合に良好に対処することができる。
【発明の効果】
【０００７】
本発明に係るベッドによれば、誘眠振動やマッサージ振動等に代表される有用振動を振動部をもつ振動ユニットがベッド本体上の使用者の身体に直接または寝具類等を介して間接的に与えることができる。更に、振動部は、ベッド本体上に横たわる使用者の足側に対面するようにベッド本体に設けられたフット側部材に設けられており、ベッド本体の高さ方向、長さ方向および幅方向において位置調整可能とされているため、足枕、マットレスの寝具類のサイズ等の事情により、振動部と寝具類との間に隙間が生成されるようなときであっても、その隙間を低減または解消させる方向に振動部をもつ振動ユニットを位置調整できる。従って振動部による誘眠振動やマッサージ振動等の有用振動をベッド本体上の使用者の身体に与えることができる。故に、使用者の好みに応じた厚み、硬さ、形状、感触、意匠等をもつマットレス、足枕等の寝具類を用いることができる。
【０００８】
本発明に係るベッドによれば、振動ユニットは、フット側部材において、前述したように、ベッド本体の幅方向（Ｚ方向）、ベッド本体の高さ方向（矢印Ｙ方向）、ベッド本体の長さ方向（矢印Ｘ方向）に沿って、３次元的に移動可能とされている。このため、マットレス等の寝具類や足枕等の寝具類の高さ寸法、厚み寸法の変動に対処するのに有利となり、マットレス等の寝具類や足枕等の寝具類の厚みや高さを使用者の好みに応じて選択することができる。
【発明を実施するための最良の形態】
【０００９】
本発明に係るベッドによれば、振動部をもつ振動ユニットは、ベッド本体上の使用者の身体に直接または寝具類等の振動伝達媒体を介して間接的に有用振動を与える。振動伝達媒体は、ベッド本体上の使用者の足を載せる足枕、または、使用者の身体を載せるマットレスを例示でき、場合によってはベッド本体上の使用者の頭部を載せる頭枕を例示できる。また、ベッド本体上に横たわる使用者の足側に対面するフット側部材、または、使用者のアクチュエータの頭側に対面するヘッド側部材が設けられている形態を採用できる。この場合、振動部をもつ振動ユニットはフット側部材及びヘッド側部材の一方または双方に設けられていることが好ましい。振動部をもつ振動ユニットがフット側部材及びヘッド側部材のうちの一方または双方に設けられている形態を採用できる。この場合、振動部をもつ振動ユニットがマットレス等の寝具類に内蔵されている形態に比較して、使用者等が振動部を踏んで損傷させるといった不具合を解消することができ、振動部をもつ振動ユニットの保護性及び耐久性が向上する。更に振動部の振動騒音の低減にも有利である。フット側部材はベッド本体のうちベッド本体に横たわる使用者の足側に設けられている部材である。ヘッド側部材はベッド本体のうちベッド本体に横たわる使用者の頭側に設けられている部材である。フット側部材は、一般的には、ベッド本体に載せられている寝具類のうち使用者の足側のずれを抑制する機能を奏するフットフレームで形成できる。ヘッド側部材は、一般的には、ベッド本体に載せられている寝具類のうち使用者の頭側のずれを抑制する機能を奏するヘッドフレームで形成できる。フットフレームとしては、ベッド本体に取り付けられたフットボードとすることができるが、必ずしもボード状に限定されず、パイプや棒材等をフレーム状に組み付けたものでも良い。フットフレームは、ベッド本体に一体的に取り付けられていても良いし、あるいは、分離可能に設けられていても良い。ヘッドフレームとしては、ベッド本体に取り付けられたヘッドボードとすることができるが、必ずしもボード状に限定されず、パイプや棒材等をフレーム状に組み付けたものでも良い。フットフレーム、ヘッドフレームは、ベッド本体に一体的に取り付けられていても良いし、あるいは、分離可能に設けられていても良い。
【００１０】
振動ユニットの振動部の振動方向は、ベッド本体の高さ方向であっても良いし、ベッド本体の長さ方向（ベッドに寝る使用者の身長方向）であっても良いし、ベッド本体の幅方向（ベッドに寝る使用者の幅方向）であっても良い。振動部をもつ振動ユニットはフット側部材及び／またはヘッド側部材よりもベッド上の使用者側に突出可能であることが好ましい。振動部をもつ振動ユニットがベッド上の使用者側に突出可能であれば、マットレスのサイズが短いときであっても、対処することができる。ベッド本体の使用者の足を載せる足枕を設けることにしても良い。足枕は、足裏面に対向する足裏対向面を有することにしても良い。足裏面にはいわゆるツボが集中しており、刺激に敏感であるため、誘眠作用、マッサージ効果を高めるのに有利である。足裏対向面は、立直面状としても良いし、あるいは、ベッド本体上に横たわる使用者の足の足裏面と近似した凹凸形状とすることもできる。好ましくは、足枕は、ベッド本体上に横たわる使用者の足の足裏面に対向する足裏対向面の他に、ベッド本体上に横たわる使用者の足のふくらはぎに対向する足側対向面を有しており、足枕の足裏対向面および足側対向面に有用振動を伝播させる形態を採用することができる。
【００１１】
振動部をもつ振動ユニットと寝具類（例えばマットレスまたは枕）との圧接度を相対的に高める強モードと、振動部をもつ振動ユニットと寝具類（例えばマットレスまたは枕）との圧接度を強モードのときよりも相対的に低める弱モードとが設けられており、振動部をもつ振動ユニットをベッド本体に位置調整することにより強モード及び弱モードを切替える形態を採用できる。また、振動部をもつ振動ユニットはベッド本体の高さ方向に位置調整可能であることが好ましい。この場合、マットレス等の寝具類の高さ寸法、高さ寸法の変動に対処するのに有利となり、ベッド上の使用者への振動伝播性も複数の形態に変化させるのに有利となる。更に振動部をもつ振動ユニットはベッド本体の幅方向に位置調整可能であることが好ましい。この場合マットレス、枕等の寝具類の幅寸法の変動に対処するのに有利となる。
【００１２】
好ましくは、ベッド本体上の使用者の身体を直接または間接的に暖める加熱部が設けられている形態を採用することができる。加熱部としては、使用者の腕、使用の腰、使用者の足（殊に足裏面、ふくらはぎ、足首等）のうちの少なくとも一つを加熱することができる。加熱部が設けられていれば、ベッド上の使用者の身体を暖めることができ、適度な誘眠振動等の有用振動と暖めとを併用した複合作用により誘眠効果、マッサージ効果等のリラクゼーション効果を更に向上させることができる。特に、冷え症に悩む使用者（女性、高齢者等）に適する。加熱部は、ベッド上の寝具類、ベッド本体、フット側部材のうちの少なくとも一つに設けることができ、足枕、マットレスが設けられているときには、足枕、マットレスに加熱部を設けることができる。加熱部は電気で加熱される電気ヒータ式が好ましいが、蓄熱機能または発熱機能を有する他の方式でも良い。
【実施例】
【００１３】
以下、本発明の各実施例について図面を参照して説明する。図面は概念図を示すものであり、細部まで規定するものではない。
【００１４】
（実施例１）
図１〜図５は実施例１を示す。ベッドは、使用者が横たわる寝具類１６（マットレス）を載置できる載置面１０をもつベッド本体１と、ベッド本体１の載置面１０上に載置されたマットレス１６（振動伝達媒体、寝具類）に横たわる使用者の足側に位置するようにベッド本体１に設けられたフットフレームとしてのフットボード１１と、ベッド本体１の載置面１０上のマットレス１６に横たわる使用者の頭側に位置するようにベッド本体１に設けられたヘッドフレームとしてのヘッドボード１２と、サイド部材としてのサイドボード１３をもつ。フットボード１１は、ヘッドボード１２に対向する第１表面１１ｆと、ヘッドボード１２に背向する第２表面１１ｓをもつ。ベッド本体１はサイドボード１３をもつ。ベッド本体１上の載置面１０に載置されたマットレス１６に使用者が横たわるとき、その使用者の足に適度な有用振動を与える振動部としての振動ユニット３（３Ｐ）が足枕４に対向する位置にフットボード１１に着脱可能または固定的に内蔵されている。またヘッド本体１の載置面１０に載せられているマットレス１６の端部１６ｅに対向する位置に、振動部としての振動ユニット３（３Ｍ）がフットボード１１に着脱可能または固定的に内蔵されている。このように振動ユニット３（３Ｐ,３Ｍ）はベッド本体１のフットボード１１に内蔵されている。振動ユニット３（３Ｐ,３Ｍ）は軸芯Ｋをもち、振動方向はＫ１，Ｋ２方向（ベッド本体１の長さ方向）である。振動ユニット３Ｐの有用振動は主として足枕４を介して使用者の足に伝播される。振動ユニット３Ｍは振動ユニット３Ｐよりも下方に配置されており、振動ユニット３Ｍの有用振動は主としてマットレス１６の長さ方向の端部１６ｅを介して使用者の身体に伝播される。なお振動ユニット３Ｐ，３Ｍから給電線３ｗが導出されている。フットボード１１に形成された開口部をもつ空洞部に振動ユニット３（３Ｐ，３Ｍ）が嵌め込まれて内蔵されている。その状態で振動ユニット３は、ベッド本体１のヘッドボード１２に間隔を隔てて対向するように、つまり、使用者の足の足裏面に対向するように保持されている。
【００１５】
固定手段としては公知の構造を採用することができる。固定手段としては、例えば、ボルトで振動ユニット３をその位置に保持するねじ止め構造を採用できる。この場合には、ボルトがねじ込み可能な雌ねじ孔を、振動ユニット３（３Ｐ，Ｍ）の移動方向に沿って多数個列設した雌ねじ孔群をフットボード１１に予め形成しておく。そして振動ユニット３の位置調整を行った後に、振動ユニット３（３Ｐ，Ｍ）の図略の透孔を通したボルトを、雌ねじ孔群のうち所望の雌ねじ孔に着脱可能にねじ込んで固定する。これにより位置調整後の振動ユニット３（３Ｐ，Ｍ）が移動しないようにフットボード１１に固定する方式を採用することができる。
【００１６】
また前記した固定手段としては、振動ユニット３（３Ｐ，Ｍ）が自由落下などにより不用意に位置が変位しないように、ピンが差込可能なピン孔を、振動ユニット３（３Ｐ，Ｍ）の移動方向に沿って多数個列設したピン孔群をフットボード１１に予め形成しておく。そして振動ユニット３の位置調整を行った後に、振動ユニット３（３Ｐ，Ｍ）の図略の透孔を通したピンを、ピン孔群のうち所望のピン孔に着脱可能に差込んで固定する。これにより位置調整後の振動ユニット３（３Ｐ，３Ｍ）が移動しないようにフットボード１１に固定する方式を採用することができる。また前記した固定手段としては、振動ユニット３（３Ｐ，３Ｍ）に電磁石を取り付けておき、電磁石を消磁した状態で振動ユニット３の位置調整を行ない、振動ユニット３の位置調整後に、電磁石を励磁し、振動ユニット３（３Ｐ，Ｍ）を、フットボード１１の磁気吸着材料で形成された吸着部に着脱可能に吸着する方式を採用することができる。また前記した固定手段としては、逆に、ベッド本体１側であるフットボードト１１に電磁石を取り付けておき、電磁石を消磁した状態で振動ユニット３の位置調整を行ない、振動ユニット３の位置調整後に、電磁石を励磁する。これにより位置調整後の振動ユニット３（３Ｐ，Ｍ）のうち磁気吸着材料で形成された吸着部をフットボード１１に着脱可能に吸着する方式を採用することもできる。本実施例によれば、上記したように振動ユニット３（３Ｐ,３Ｍ）はフットボード１１に内蔵されている。フットボード１１の材質は特に限定されず、木製でも、金属製でも、樹脂製でも良い。なお、空洞部は、フットボード１１の第１表面１１ｆ及び第２表面１１ｓの双方に開口するが、これに限らず、第１表面１１ｆ及び第２表面１１ｓのいずれか一方に開口する形態でも良い。
【００１７】
図１に示すように、ベッド本体１には高さ方向（矢印Ｙ１，Ｙ２方向）に沿って複数（２個）のＹガイド部１０５が延設されている。振動ユニット３（３Ｐ,３Ｍ）は、ベッド本体１に設けられたの高さ方向（矢印Ｙ１，Ｙ２方向）に沿って延設されたＹガイド部１０５に沿ってそれぞれ位置調整可能とされている。位置調整された振動ユニット３（３Ｐ,３Ｍ）は、上記した図略の固定手段により調整後の高さ位置に固定される。振動ユニット３Ｐ,３Ｍは、ベッド本体１上に横たわる使用者に有用振動を与えるように使用者の幅方向（矢印Ｗ方向）に沿って複数個並設された振動源３０と、複数個の振動源３０をまとめて保持する振動伝播性を有する装填材料で形成された保持部３１と、保持部３１を保持するベース３２とを有する。保持部３１を構成する装填材料としては特に限定されず、樹脂系、ゴム系、発泡材料系、繊維集合体、金属系等を基材として採用することができる。隣設する振動源３０間には装填材料が介在しているため、隣設する振動源３０による振動干渉等を抑制するのに有利となる。振動源３０は振動機能を有するものである。振動源３０の振動原理としては、磁気で振動子を振動させる方式、圧電作用で振動子を振動させる方式、磁歪作用で振動子を振動させる方式、モータ駆動により振動子を振動させる方式、超音波振動させる方式等のように公知の振動方式を採用することができる。振動源３０の軸芯Ｋ方向はベッド本体１の長さ方向（使用者の身長方向）であるが、これらに限定されるものではなく、振動源３０の軸芯Ｋ方向はベッド本体１の高さ方向であっても良い。振動源３０はこれの軸芯Ｋに沿って矢印Ｋ，Ｋ２方向に振動する。
【００１８】
図１に示すように、足枕４（振動伝達媒体、寝具類）は、少なくとも一部が振動ユニット３Ｐに対面するように、ベッド本体１の載置面１０上のマットレス１６に脱着可能に載せられている。足枕４は、マットレス１６に沿って延設された横部４２と、ベッド本体１に横たわっている使用者の足の足裏面及び振動ユニット３の双方に対向するように横部４２からフットボード１１に沿って上向きに立設された縦部４１とを有しており、側面４ｓ及び端面４ｋを有する。足枕４は、使用者の足の足裏面に対向する足裏対向面４３と、ベッド本体１上に横たわる使用者の足のふくらはぎ及び足首に対向する足側対向面４４とを有する。ここで、足裏対向面４３は足枕４の縦部４１の側面に設けられている。足裏対向面４３は、使用者の足裏面の土踏まず領域に対面するように膨出する膨出部４３ａを有する。足側対向面４４は足枕４の横部４２の上面に設けられている。足枕４の足側対向面４４は使用者のふくらはぎ及び足首の形状に近似した形状をもち、使用者の足の足首に対面する突部４５をもつ。なお足枕４及びマットレス１６は、身体に負担がかからない材料を基材として形成されている。このように基材としては、ウレタン樹脂、綿、羽毛、ビーズ、ゲル材料などのうちの少なくとも１種が例示される。マットレス１６はコイルバネ等のバネを内蔵していても良い。コイルバネの軸芯はマットレス１６の厚み方向に延設されていることができる。
【００１９】
本実施例では、振動を開始する振動開始部と、振動を停止する振動停止部とが設けられていることが好ましい。振動開始部として、使用者がベッド本体１に横たわった信号を出力する横たわりセンサを設けることができる。入力振動停止部として、使用者が睡眠に入ったことを推定または検知する睡眠センサを設けることができる。振動開始部からの指令により振動源３０が振動を開始し、睡眠センサの信号により振動源３０の振動を停止する方式を例示することができる。使用者の横たわりを検知する横たわりセンサとしては、例えば、使用者の体重を検知するためにのマットレス１６に内蔵された加圧センサで形成することができる。あるいは、横たわりセンサとしては、使用者の意思に基づいて使用者の指先等で操作されるスイッチで形成することができる。また睡眠センサとしては、振動源３０による誘眠振動が開始されてから所定時間経過したら、使用者が睡眠に誘導されたと推定するタイマー機能をもつものとすることができる。また睡眠センサとしては、ベッド上に横たわっている使用者の呼吸及びまたは心臓の鼓動に基づく物理量の変化（例えば胸または腹の変位量、胸または腹の変位周期、鼓動の変位量、鼓動の周期）を検知するセンサを例示することができる。あるいは、睡眠センサとしては、使用者の脳波を検知するセンサ、使用者のいびき音等を検知するいびき音センサを例示することができる。
【００２０】
使用時には、ベッド本体１の載置面１０上に載置されているマットレス１６に、使用者が横たわる。使用者の足は足枕４に載せられる。振動ユニット３Ｍの有用振動は主としてマットレス１６の端部１６ｅを介して使用者の身体に伝播される。振動ユニット３Ｍは使用者の足側に設けられているため、使用者の足側への振動伝播は効果的であり、足、腰等へマッサージ性を高めることができるものの、使用者の頭側への振動伝播は少なく、誘眠性、マッサージ性を高めることができる。また一般的には、ベッド本体１上に横たわる使用者の足のふくらはぎ及び足首は、足枕４の足側対向面４４に載せられて対向する。また使用者の足の足裏面は足枕４の足裏対向面４３に対向する。この状態で、振動ユニット３（３Ｐ，３Ｍ）の振動源３０が振動する。振動源３０の振動は有用振動として足枕４の足、殊に足裏対向面４３に伝播され刺激する。これによりベッド本体１上に横たわっている使用者にマッサージ振動、誘眠振動等のリラクゼーション効果を発揮できる有用振動を与えることができる。更に、足枕４の足側対向面４４を介して、使用者の足のふくらはぎ及び足首にも適度な有用振動が与えられるため、使用者の快適性を高めるのに有利である。上記したようにフットボード１１に内蔵されている振動源３０の有用振動を足枕４、マットレス１６を介して伝播させるため、有用振動が足枕４、マットレス１６により適度に減衰され、振動源３０の振動が間接的に使用者の足に伝播されることになり、快適性を向上させることができる。
【００２１】
図５及び図６は振動ユニット３（３Ｐ，３Ｍ）を３次元方向に可動機構１００の概念を示す。図６、図７に示すように、可動機構１００は、ベッド本体１の幅方向（矢印Ｚ１，Ｚ２方向）に沿って延設されたＺガイド部１０１と、Ｚガイド部１０１に沿って幅方向（矢印Ｚ１，Ｚ２方向）に沿って移動可能なスライダ１０３に設けられ且つベッド本体１の高さ方向（矢印Ｙ１，Ｙ２方向）に沿って延設されたＹガイド部１０５と、Ｙガイド部１０５に沿って高さ方向（矢印Ｙ１，Ｙ２方向）に沿って移動可能なスライダ１０６に設けられ且つベッド本体１の長さ方向（矢印Ｘ１，Ｘ２方向）に沿って延設されたＸガイド部１０７とをもつ。Ｘガイド部１０７と振動ユニット３（３Ｐ，３Ｍ）とは接続されている。このような可動機構１００により、振動ユニット３（３Ｐ，３Ｍ）は、ベッド本体１の幅方向（Ｚ１，Ｚ２方向）、ベッド本体１の高さ方向（矢印Ｙ１，Ｙ２方向）、ベッド本体１の長さ方向（矢印Ｘ１，Ｘ２方向）に沿って、３次元的に移動可能とされている。そして図略の固定手段により、振動ユニット３（３Ｐ，３Ｍ）は移動した位置に保持できるようにされている。固定手段としては、振動ユニット３（３Ｐ，３Ｍ）が変位しないように、振動ユニット３（３Ｐ，３Ｍ）をボルトやナットでその位置に保持するねじ止め構造を採用できる。また固定手段としては、振動ユニット３（３Ｐ，３Ｍ）が自由落下などにより位置が変位しないように、差込ピンを振動ユニット３（３Ｐ，３Ｍ）またはベッド本体１に差し込んで固定するピン止め構造を採用しても良い。故に、スライダ１０３，１０６をボルトやナット等のねじ締め構造でその位置に保持することができる。差込ピンをスライダ１０３，１０６等に差込むことによりにより、スライダ１０３，１０６等をその目標位置に保持し、ひいては振動ユニット３（３Ｐ，３Ｍ）を目標位置に保持することができる。
【００２２】
上記したように本実施例によれば、使用者の好みに応じて、振動ユニット３（３Ｐ，３Ｍ）の位置を３次元的に調整することができる。この場合、マットレス１６や足枕４等の寝具類の高さ寸法、厚み寸法の変動に対処するのに有利となり、マットレス１６や足枕４等の寝具類の厚みや高さを使用者の好みに応じて選択することができる。本実施例によれば、前述したように振動ユニット３Ｍ，３Ｐは高さ方向つまり矢印Ｙ１，Ｙ２方向に沿って位置調整可能とされている。このため使用者の好みに応じて、図７に示すように、主に足枕４の高さ方向の上部に振動を加えるモードＰ１、主に足枕４の高さ方向の中間部に振動を加えるモードＰ２、主に足枕４の高さ方向の下部に振動を加えるモードＰ３と変更することができる。また、振動ユニット３Ｍは高さ方向つまり矢印Ｙ１，Ｙ２方向に位置調整可能とされているため、図８に示すように、マットレス１６の厚み方向の上部に振動を加えるモードＭ１、マットレス１６の厚み方向の中間部に振動を加えるモードＭ２、マットレス１６の厚み方向の下部に振動を加えるモードＭ３と変更することができる。モードＭ１，Ｍ２，Ｍ３では、マットレス１６の厚みの影響を受けるため、振動形態が異なったものとなりやすい。一般的には、マットレス１６の厚み方向の上部に振動を加えれば、マットレス１６の厚みよる振動減衰性が少ないため、ベッド本体１の長さ方向における振動伝播距離を増加させることができ、振動ユニット３Ｍが使用者の足側に配置されていたとしても、使用者の足ばかりか、腰部、背中まで有用振動を伝播させるのに有利となる。場合によっては肩付近まで伝播させるのに有利となる。マットレス１６の厚み方向の下部に振動を加えれば、マットレス１６の厚みよる振動減衰性が多いため、ベッド本体１の長さ方向における振動伝播距離を減少させることができ、使用者の足を中心として有用振動を加えることができる。このように使用者の好みに応じてベッド上の使用者への振動伝播形態を複数のモードに変化させるのに有利となる。更に振動ユニット３はベッド本体１の幅方向（矢印Ｚ１，Ｚ２方向）においても位置調整可能であるため、使用者の体格、マットレス１６や足枕４等の寝具類の幅寸法の変動、ベッドに寝る使用者の人数の変動等に対処し、有用振動を使用者の身体に加えることができる。この意味においても、使用者が好みに応じて有用振動を利用することができる利点が得られる。
【００２３】
図９〜図１１は他の可動機構１００Ｂを示す。この可動機構１００Ｂは、ベッド本体１の幅方向（矢印Ｚ１，Ｚ２方向）に沿って延設されたＺガイド部１０１と、Ｚガイド部１０１に沿って幅方向（矢印Ｚ１，Ｚ２方向）に沿って移動可能なスライダ１０３に設けられ且つベッド本体１の高さ方向（矢印Ｙ１，Ｙ２方向）に沿って延設されたＹガイド部１０５と、Ｙガイド部１０５に沿って高さ方向（矢印Ｙ１，Ｙ２方向）に沿って移動可能なスライダ１０６に設けられ且つベッド本体１の長さ方向（矢印Ｘ１，Ｘ２方向）に沿って延設されたＸガイド部１０７とをもつ。従って、可動機構１００Ｂにより振動ユニット３（３Ｐ，３Ｍ）は、ベッド本体１の幅方向（Ｚ１，Ｚ２方向）、ベッド本体１の高さ方向（矢印Ｙ１，Ｙ２方向）、ベッド本体１の長さ方向（矢印Ｘ１，Ｘ２方向）に沿って、３次元的に移動可能とされている。位置調整された振動ユニット３（３Ｐ，３Ｍ）は固定手段により保持可能とされている。固定手段としては、例えばボルトやナットで振動ユニット３をその位置に保持するねじ止め構造を採用できる。
【００２４】
図１２は他の可動機構１００Ｃを示す。この可動機構１００Ｃは、フットボード１１に設けられ且つベッド本体１の高さ方向（矢印Ｙ１，Ｙ２方向）に沿って延設されたＹガイド部１０５と、Ｙガイド部１０５に沿って高さ方向（矢印Ｙ１，Ｙ２方向）に沿って移動可能なスライダ１０６に設けられ且つベッド本体１の長さ方向（矢印Ｘ１，Ｘ２方向）に沿って延設されたＸガイド部１０７とをもつ。Ｘガイド部１０７と振動ユニット３とは接続されている。従って、可動機構１００Ｃにより振動ユニット３（３Ｐ，３Ｍ）は、ベッド本体１の高さ方向（矢印Ｙ１，Ｙ２方向）、ベッド本体の長さ方向（矢印Ｘ１，Ｘ２方向）に沿って移動可能とされている。位置調整された振動ユニット３（３Ｐ，３Ｍ）は固定手段により保持可能とされている。固定手段としては、例えば、ボルトやナットで振動ユニット３をその位置に保持するねじ止め構造を採用できる。
【００２５】
以上説明したように本実施例によれば、振動ユニット３（３Ｐ，３Ｍ）はベッド本体１の高さ方向（矢印Ｙ１，Ｙ２方向）において位置調整可能とされている。このため、例えば、マットレス１６や足枕４の厚み、高さ等の事情により、振動ユニット３Ｐ，３Ｍの高さ位置が適応してないときであっても、振動ユニット３Ｍをマットレス１６の良好な位置にあてがうと共に、振動ユニット３Ｐを足枕４の良好な位置にあてがうことができる。従って振動ユニット３Ｍ，３Ｐによる誘眠振動やマッサージ振動等のリラクゼーション効果を与える有用振動をベッド本体１上の使用者の身体に効果的に与えることができる。ベッドに予め据え付けられているものではなく、使用者の好みに応じた厚み、高さ等をもつマットレス１９及び足枕４を用いるときに、高さの相違が発生しやすい。
【００２６】
加えて本実施例によれば、図１に示すように、振動ユニット３（３Ｐ，３Ｍ）はベッド本体１の長さ方向（矢印Ｘ１，Ｘ２方向）において位置調整可能とされている。このため振動ユニット３Ｍ，３Ｐと寝具類（マットレス１６や足枕４等）との間に隙間Ｌ（図１参照）が生成されるときであっても、振動ユニット３Ｐ，３Ｍを矢印Ｘ１方向に移動させてフットボード１１の第１表面１１ｓから突出させれば、その隙間Ｌを低減または解消させる方向に振動ユニット３Ｐ，３Ｍを位置調整できる。例えば、マットレス１６や足枕４のサイズ等の事情により、振動ユニット３Ｐ，３Ｍと足枕４との間、振動ユニット３Ｍ，３Ｐとマットレス１６との間に隙間Ｌが生成されるときであっても、図１に示すようにその隙間Ｌを低減または解消させる方向に振動ユニット３Ｍ，３Ｐをフットボード１１の第１表面１１ｆよりもベッド上の使用者側に突出させ、振動ユニット３Ｍをマットレス１６の端部１６ｅにあてがうと共に、振動ユニット３Ｐを足枕４にあてがうことができる。従って振動部である振動ユニット３Ｍ，３Ｐによる誘眠振動やマッサージ振動等の有用振動をベッド本体１上の使用者の身体に効果的に与えることができる。なお、ベッドに予め据え付けられているものではなく、使用者の好みに応じた硬さ、厚み、形状、感触、意匠等をもつマットレス１９及び足枕４を用いるときに、隙間Ｌが生じ易い。ベッドに予め据え付けられているマットレス１９及び足枕４であっても、隙間Ｌが生じることがある。
【００２７】
更に本実施例によれば、振動ユニット３Ｍの矢印Ｘ１，Ｘ２方向における位置調整を行うことにより、振動ユニット３Ｍとマットレス１６との圧接度、振動ユニット３Ｐと足枕４との圧接度を調整でき、振動ユニット３Ｍとマットレス１６、足枕４との間の振動伝播率を調整できる。故に、誘眠効果、マッサージ効果等のリラクゼーション効果を調整できる。ここで、振動伝搬率を高めたいときには、振動ユニット３Ｍとマットレス１６との圧接度、振動ユニット３Ｐと足枕４との圧接度を相対的に高める強モードとすれば良い。振動伝搬率を低めにしたいときには、振動ユニット３Ｍとマットレス１６との圧接度、振動ユニット３Ｐと足枕４との圧接度を強モードのときよりも相対的に低めとする弱モードとすれば良い。振動伝搬率を中間にしたいときには、振動ユニット３Ｍとマットレス１６との圧接度、振動ユニット３Ｐと足枕４との圧接度を強モードと弱モードとの中間とする中間モードとすれば良い。このように振動ユニット３Ｐ、３Ｍの振動を足枕４、マットレス１６介して使用者に伝播させるため、振動が強い場合等であっても、不快感を無くすのに有利となる。
【００２８】
本実施例によれば、振動部である振動ユニット３（３Ｐ，３Ｍ）がフットボード１１に設けられているため、フットボード１１が振動ユニット３のハウジングやケーシングとしての機能を果たすことができ、振動源３０に対する耐衝撃性を向上させることができ、振動源３０に対する保護性及び耐久性を向上させることができ、振動源３０の長寿命化に有利である。更に、振動源３０がフットボード１１に内蔵されているため、マットレス等の寝具類に振動部が内蔵されている形態に比較して、使用者が振動源３０を踏んで損傷させるといった不具合を解消することができる。振動源３０がフットボード１１に内蔵されているため、振動騒音の外部への伝播を抑制でき、振動双方の低減にも貢献できる。
【００２９】
本実施例では電気ヒータ式の加熱部５（図１参照）が設けられている。従って、ベッド上に横たわっている使用者の足を加熱部５により暖めることができ、有用振動と暖めとを併用した複合効果により、使用者の快適性を高め、使用者を睡眠に誘導する誘眠作用またはマッサージ作用を向上させることができる。特に、冷え症に悩む使用者（女性、高齢者等）の誘眠に適する。加熱部５は足枕４の下面に設けられているため、使用者の足の皮膚と加熱部５との直接的な接触を避けることができ、足に対する暖めが間接的になり、適度に暖めることができる。
【００３０】
（実施例２）
図１３及び図１５は実施例２の概念図を示す。本実施例は前記した実施例１と基本的には同様の構成及び作用効果を有し、振動ユニット３は、ベッド本体１の幅方向、ベッド本体１の高さ方向、ベッド本体１の長さ方向に沿って、３次元的に移動可能とされている。以下、相違する部分を中心として説明する。振動ユニット３Ｐ，３Ｍはフットボード１１に搭載されており、フットボード１１に対してベッド本体１の高さ方向（矢印Ｙ１，Ｙ２方向）、ベッド本体１の幅方向（矢印Ｚ１，Ｚ２方向）に移動可能とされている。更に、振動ユニット３Ｐ，３Ｍを搭載するベッド本体１の長さ方向（ベッドに寝ている使用者の身長方向）に沿って、つまり、使用者に近づく方向（矢印Ｘ１方向）または使用から離れる方向（矢印Ｘ２方向）に移動可能とされている。これによりフットボード１１に内蔵されている振動ユニット３Ｐ，３Ｍはベッド本体１の長さ方向において位置調整可能とされている。図１３、図１４に示すように、フットボード１１には、凸または凹からなるベッド本体１の長さ方向（矢印Ｘ１，Ｘ２方向）にのびるガイド部１１ｒが設けられている。ベッド本体１には、ベッド本体１の長さ方向に延びる凹または凸からなる被ガイド部１ｒが設けられている。被ガイド部１ｒ及びガイド部１１ｒのスライド嵌合により、フットボード１１は、ひいてはフットボード１１に搭載されている振動ユニット３（３Ｐ，３Ｍ）はベッド本体１の長さ方向（ベッドに寝ている使用者の身長方向）つまり矢印Ｘ１，Ｘ２方向に沿って移動可能とされている。このためマットレス１６や足枕４のサイズ等の事情により、振動ユニット３Ｐ，３Ｍと足枕４との間、振動ユニット３Ｍ，３Ｐとマットレス１６との間に隙間Ｌが生成されるときであっても、図１３，図１ヘッドボード１２に向けて矢印Ｘ１方向に向けて、その隙間Ｌを低減または解消させる方向にフットボード１１を移動させれば、振動ユニット３Ｍをマットレス１６の長さ方向の端部１６ｅにあてがうと共に、振動ユニット３Ｐを足枕４にあてがうことができる。従って振動ユニット３Ｍ，３Ｐによる誘眠振動やマッサージ振動等のリラクゼーション効果を与える有用振動をベッド本体１上の使用者の身体に効果的に与えることができる。更に振動ユニット３Ｍとマットレス１６との圧接度、振動ユニット３Ｐと足枕４との圧接度を調整でき、使用者の好みに応じて振動伝播率を調整できる。
【００３１】
図１５に示す実施例では、振動源３０の振動方向（Ｋ１，Ｋ２方向）は、ベッド本体１の高さ方向に沿った方向、つまり、マットレス１６の厚み方向に沿った方向とされている。図１６に示す実施例では、振動源３０の振動方向（Ｋ１，Ｋ２方向）は、ベッド本体１の高さ方向に沿った方向、つまり、足枕４の足裏対向面４３に沿った方向とされている。
【００３２】
図１７は前記した振動源３０の一例を示す。図１７に示すように、この振動源３０では、円筒形の外ケース３１６の内部に筒形のコイル３１２が同軸的に収納され、コイル３１２の内側に磁石で形成された振動子３１３、３１３が、スペーサ３１５を挟んで磁極の方向を相互に対向させて配置されている。振動子３１３、３１３の両端部にはバネ部材３１４、３１４が配置されている。これらの各部品が外ケース３１６内に収容されている。コイル３１２に所定の周波数の電気信号を入力すると、磁石で形成された振動子３１３、３１３が振動方向に交互に移動し、振動源３０の振動子３１３は振動作用を発揮する。振動方向は外ケース３１６の軸長方向である。入力電気信号の周波数、振幅等を変化させることで、振動源３０の振動の振動数、振幅等を制御できる。そして、図１８に示すように、複数の振動源３０は発泡ウレタン等の高分子材料で形成された保持部３１の格納空間３１ｍに並設状態に保持されている。その他に使用できる振動部を例示すると、リニアモータ型や偏心モータ型の振動部が挙げられる。両者ともに振動させたい周波数にてモータを駆動することで振動を発生する。
【００３３】
（他の実施例）
図１９〜図２９は他の実施例（実施例１，実施例２を前提にできる）を示す。図１９〜図２９に示す場合においても振動ユニット３Ｐ，３Ｍはベッド本体１の高さ方向及び幅方向、あるいは長さ方向に移動可能とされている。図１９に示す実施例では、足枕４の下面に、足を加熱できる加熱部５が取り付けられている。図２０に示す実施例では、ベッド本体１のフットボード１１のうち足枕４の縦部４１に対向する位置に、足裏面を加熱できる加熱部５が取り付けられている。ここで、図２０に示すように足枕４の足裏対向面４３，加熱部５，振動ユニット３の順に配置されている。これによりベッド上に横たわっている使用者の足の足裏面のうち、振動ユニット３で誘眠振動、マッサージ振動等のリラクゼーション効果を与える有用振動を与える領域を加熱部５で効果的に暖めることができる。この場合にも、使用者の足の皮膚と加熱部５との直接的な接触を避けることができる。図２１に示す例では、マットレス１６のうち使用者の足側の上面１６ｕに加熱部５が一体的に設けられている。この場合、ベッド上に横たわっている使用者の足の足裏面に振動ユニット３により誘眠振動、マッサージ振動等の有用振動を与えると共に、その足のふくらはぎ等を効果的に暖めることができる。この場合にも、誘眠振動、マッサージ振動等の有用振動と暖めとを併用した複合作用により使用者を睡眠に効果的に誘導する誘眠作用またはマッサージ作用を向上させることができる。
【００３４】
図２２に示す例では、足枕４は、足枕４に適する材料で形成された足枕本体４０と、足枕本体４０の横部４２の下面に設けられた電気ヒータ式の加熱部５と、加熱部５及び足枕本体４０を覆う表層４６とを有する。加熱部５は主として足のふくらはぎ及び足首を暖めることができる。この場合にも、使用者の足の皮膚と加熱部５との直接的な接触を避けることができる。図２３に示す例では、足枕４は、足枕本体４０と、フットボード１１に対向する縦部４１の立面４１ｖ及びマットレス１６に対面する横部４２の下面４２ｄにかけて設けられた電気式の加熱部５と、加熱部５及び足枕本体４０を覆う表層４６とを有する。加熱部５は使用者の足の足裏面、ふくらはぎ、足首を暖めることができる。図２４に示す例では、足枕４は、足枕本体４０と、フットボード１１に対向するように縦部４１に埋設された遠赤外線効果をもつ第１加熱部５ｆと、マットレス１６に対向するように横部４２に埋設された遠赤外線効果をもつ第２加熱部５ｓと、足枕本体４０を覆う表層４６とを有する。第１加熱部５ｆは足裏面を暖め、第２加熱部５ｓは使用者のふくらはぎ及び足首を暖めることができる。なお加熱部５ｆ、５ｓは備長炭、天然鉱石としても良い。
【００３５】
図２５に示す例では、足枕４は、使用者の足の足裏面に対向する足裏対向面４３と、ベッド本体１上に横たわる使用者の足のふくらはぎに対向する足側対向面４４とを有しており、更に、マットレス１６の長さ方向の端部１６ｅとフットボード１１との間に挿入された延設部４８とを有する。フットボード１１に内蔵されている振動ユニット３の有用振動は足枕４の足裏対向面４３に伝播されるとともに、足枕４の延設部４８及び端部１６ｅを介して足枕４の足側対向面４４にも伝播させることができる。延設部４８は、足枕４のうち延設部４８以外の部分と同一の材料で形成しても良い。場合によっては、振動伝播の減衰を抑えるべく、延設部４８は、足枕４のうち延設部４８以外の部分よりも硬い材料で形成することもできる。
【００３６】
図２６に示す実施例では、足枕４は、使用者の足の足裏面に対向する直立状の足裏対向面４３と、ベッド本体１上に横たわる使用者の足のふくらはぎに対向する水平面状の足側対向面４４とを有する。この足枕４に足が載せられると、足枕４は軟質であるため、足枕４の形状は足の形状に沿って弾性変形する。
【００３７】
図２７に示す例では、足枕４は、足枕本体４０と、フットボード１１に対向する縦部４１の立面４１ｖ及びマットレス１６に対面する横部４２の下面４２ｄにかけて設けられた電気式の加熱部５と、加熱部５及び足枕本体４０を覆う表層４６とを有する。足枕本体４０は、使用者の足の足裏面に背向する足表面（足爪側の面）を覆う覆い部４７をもつ。これにより使用者の足のホールド性が向上し、使用者の足がフットボード１１から大きく離間することが抑制され、使用者の足の足裏面と足枕４の足裏対向面４３との接触性を維持するのに有利となる。
【００３８】
本発明に係るベッドによれば、振動源３０、振動ユニット３はヘッドボード１２に搭載させても良い。また、１個の振動ユニット３あたり搭載されている振動源３０の数は１個でも複数でも良い。足枕４及びマットレス１６の双方に対面するように振動源３０、振動ユニット３３が設けられているが、これに限らず、足枕４のみに対面するように振動源３０、振動ユニット３３が設けられている形態を採用しても良い。あるいは、マットレス１６のみに対面するように振動源３０、振動ユニット３３が設けられている形態を採用しても良い。その他、本発明は上記し且つ図面に示した実施例のみに限定されるものではなく、要旨を逸脱しない範囲内で適宜変更して実施できる。
【産業上の利用可能性】
【００３９】
本発明は使用者の身体を休めるベッドに利用することができる。
【図面の簡単な説明】
【００４０】
【図１】振動ユニットをベッド本体のフットボードに取り付けたベッドの正面図である。
【図２】振動ユニットをベッド本体のフットボードに取り付けたベッドの平面図である。
【図３】振動ユニットをフットボードに取り付けたベッドの側面図である。
【図４】振動ユニットの一例を示す断面図である。
【図５】振動ユニットを可動させる可動機構の要部を示す構成図である。
【図６】振動ユニットを可動させる可動機構の要部を示す斜視図である。
【図７】高さを変えた振動ユニットの振動を足枕に加える形態を示す構成図である。
【図８】高さを変えた振動ユニットの振動をマットレスに加える形態を示す構成図である。
【図９】振動ユニットを可動させる別の例に係る可動機構を示す構成図である。
【図１０】振動ユニットを可動させる可動機構を示す平面視である。
【図１１】振動ユニットを可動させる可動機構を示す側面視である。
【図１２】別の可動機構を示す構成図である。
【図１３】実施例２に係り、振動ユニットをもつフットボードをベッド本体に接近させる前の状態のベッドの正面図である。
【図１４】実施例２に係り、振動ユニットをもつフットボードをベッド本体に接近させた状態のベッドの正面図である。
【図１５】マットレスに振動を加える振動ユニットの振動部の軸芯をベッド本意の高さ方向に配置した状態の構成図である。
【図１６】足枕に振動を加える振動ユニットの振動部の軸芯をベッド本体の高さ方向に配置した状態の成図である。
【図１７】振動部の内部構造の一例を示す断面図である。
【図１８】振動ユニットの保持部が振動部を保持する状態を示す斜視図である。
【図１９】他の例に係り、振動ユニットを内蔵したフットボード及び足枕付近を示す構成図である。
【図２０】他の例に係り、振動ユニットを内蔵したフットボード及び足枕付近を示す構成図である。
【図２１】他の例に係り、振動ユニットを内蔵したフットボード及び足枕付近を示す構成図である。
【図２２】他の例に係り、加熱部を有する足枕付近を示す断面図である。
【図２３】他の例に係り、加熱部を有する足枕付近を示す断面図である。
【図２４】他の例に係り、加熱部を有する足枕付近を示す断面図である。
【図２５】他の例に係り、延設部を有する足枕付近を示す構成図である。
【図２６】他の例に係り、足枕付近を示す構成図である。
【図２７】他の例に係り、覆い部を有する足枕付近を示す断面図である。
【符号の説明】
【００４１】
図中、１はベッド本体、１１はフットボード（フット側部材）、１６はマットレス（寝具類）、３（３Ｐ，３Ｍ）は振動ユニット（振動部）、３０は振動源、４は足枕（寝具類）、５は加熱部を示す。
【図１】
0004666201.tif 000002
【図２】
0004666201.tif 000003
【図３】
0004666201.tif 000004
【図４】
0004666201.tif 000005
【図５】
0004666201.tif 000006
【図６】
0004666201.tif 000007
【図７】
0004666201.tif 000008
【図８】
0004666201.tif 000009
【図９】
0004666201.tif 000010
【図１０】
0004666201.tif 000011
【図１１】
0004666201.tif 000012
【図１２】
0004666201.tif 000013
【図１３】
0004666201.tif 000014
【図１４】
0004666201.tif 000015
【図１５】
0004666201.tif 000016
【図１６】
0004666201.tif 000017
【図１７】
0004666201.tif 000018
【図１８】
0004666201.tif 000019
【図１９】
0004666201.tif 000020
【図２０】
0004666201.tif 000021
【図２１】
0004666201.tif 000022
【図２２】
0004666201.tif 000023
【図２３】
0004666201.tif 000024
【図２４】
0004666201.tif 000025
【図２５】
0004666201.tif 000026
【図２６】
0004666201.tif 000027
【図２７】
0004666201.tif 000028